(57)【要約】【課題】  ユーザの誤選択を防止でき、選択操作を容易にすることができる情報入力表示装置を提供する。【解決手段】  表示画面１０に複数の選択アイコン５０ａを表示させる表示装置１と、表示装置１の表示画面１０側に配設され、選択アイコン５０ａを選択するアイコン選択物体の接触を検出して検出信号を出力するタッチスイッチ２と、タッチスイッチ２よりユーザ側に配置され、アイコン選択物体のタッチスイッチ２への接近を検出するとともに、アイコン選択物体の位置を検出する近接検出手段３と、タッチスイッチ２により、アイコン選択物体による選択アイコン５０ａに対応する位置における接触を検出した場合に、選択アイコン５０ａに関連づけられた処理を行う制御手段４と、近接検出手段３によりアイコン選択物体の接近を検出した場合に、検出されたアイコン選択物体の位置近傍の選択アイコン５０ａを表示画面１０に拡大表示する拡大表示手段４とを設ける。【選択図】        図１ 
2006031499.tif 000002
【特許請求の範囲】
【請求項１】
表示画面（１０）に複数の選択アイコン（５０ａ）を表示させる表示装置（１）と、
前記表示装置（１）の前記表示画面（１０）側に配設され、前記選択アイコン（５０ａ）を選択するアイコン選択物体の接触を検出して検出信号を出力するタッチスイッチ（２）と、
前記タッチスイッチ（２）よりユーザ側に配置され、前記アイコン選択物体の前記タッチスイッチ（２）への接近を検出するとともに、前記アイコン選択物体の位置を検出する近接検出手段（３）と、
前記タッチスイッチ（２）により、前記アイコン選択物体による前記選択アイコン（５０ａ）に対応する位置における接触を検出した場合に、前記選択アイコン（５０ａ）に関連づけられた処理を行う制御手段（４）と、
前記近接検出手段（３）により前記アイコン選択物体の接近を検出した場合に、検出された前記アイコン選択物体の位置近傍の前記選択アイコン（５０ａ）を前記表示画面（１０）に拡大表示する拡大表示手段（４）とを備えることを特徴とする情報入力表示装置。
【請求項２】
前記近接検出手段は、赤外光を発光するＬＥＤ（３０）と、赤外光を検出する受光素子（３１）からなる赤外線スイッチ（３）であることを特徴とする請求項１に記載の情報入力表示装置。
【発明の詳細な説明】
【技術分野】
【０００１】
本発明は、表示装置に関し、特に、表示画面を指などで直接触れて入力操作を行う情報入力表示装置に関する。
【背景技術】
【０００２】
近年、カーナビゲーションシステムの普及に伴い、タッチパネルを備えた情報入力表示装置が車両に搭載されるようになっている。さらに、この情報入力表示装置により、カーナビゲーションやエアコン、オーディオ操作など複数の機能の表示と操作を行なうようになってきている。
【０００３】
このような情報入力表示装置では、複数の選択アイコンを用いて操作機能を表示し、ユーザがその部分を触ることでタッチスイッチにより操作を検出し、入力操作が行なわれる。しかしながら、操作に必要な機能が増加すると、それぞれの選択アイコン表示は小さくなり、選択操作が困難になるという問題が生じる。
【０００４】
この問題を解決するために、選択された記号のみを拡大して表示する拡大表示画面を設ける構成や、第１の入力表示画面で表示した１群の記号（例えば、あ行）が選択された後、その１群の記号に含まれている記号（例えば、「あ」「い」「う」「え」「お」）のみを第２の入力表示画面で表示する構成を採用した情報入力表示装置がある（例えば、特許文献１参照）。
【特許文献１】特開平７−２２９７５１号公報
【発明の開示】
【発明が解決しようとする課題】
【０００５】
しかしながら、選択された記号のみを拡大して表示する拡大表示画面を設ける構成では、小さい記号の誤選択を防ぐ効果は無かった。また、１群の記号を選択する第１の入力表示画面と、その１群の記号に含まれている記号を選択する第２の入力表示画面とを切り換える構成では、ユーザの操作が煩雑になるという問題があった。
【０００６】
本発明は、上記点に鑑み、ユーザの誤選択を防止でき、選択操作を容易にすることができる情報入力表示装置を提供することを目的とする。
【課題を解決するための手段】
【０００７】
上記目的を達成するため、請求項１に記載の発明では、表示画面（１０）に複数の選択アイコン（５０ａ）を表示させる表示装置（１）と、表示装置（１）の表示画面（１０）側に配設され、選択アイコン（５０ａ）を選択するアイコン選択物体の接触を検出して検出信号を出力するタッチスイッチ（２）と、タッチスイッチ（２）よりユーザ側に配置され、アイコン選択物体のタッチスイッチ（２）への接近を検出するとともに、アイコン選択物体の位置を検出する近接検出手段（３）と、タッチスイッチ（２）により、アイコン選択物体による選択アイコン（５０ａ）に対応する位置における接触を検出した場合に、選択アイコン（５０ａ）に関連づけられた処理を行う制御手段（４）と、近接検出手段（３）によりアイコン選択物体の接近を検出した場合に、検出されたアイコン選択物体の位置近傍の選択アイコン（５０ａ）を表示画面（１０）に拡大表示する拡大表示手段（４）とを備えることを特徴としている。
【０００８】
これにより、ユーザが選択したい選択アイコン（５０ａ）にアイコン選択物体を近づけるだけでその近傍が拡大表示されるため、希望する選択アイコン（５０ａ）を容易に選択操作することができ、誤選択を防止することができる。また、アイコン選択物体の接近を検出して自動的に拡大表示画面を表示するため、選択画面を切り換える必要がなくなり、ユーザの選択操作を容易にすることができる。
【０００９】
なお、「選択アイコン」とは、ユーザが何らかの操作で選択することができるような、表示画面（１０）上の画像をいう。
【００１０】
また、「アイコン選択物体」とは、ユーザの手や指など、選択アイコン（５０ａ）を選択するために用いられるもののことをいう。
【００１１】
また、請求項２に記載の発明のように、近接検出手段として、赤外光を発光するＬＥＤ（３０）と、赤外光を検出する受光素子（３１）からなる赤外線スイッチ（３）を用いることができる。
【００１２】
なお、上記各手段の括弧内の符号は、後述する実施形態に記載の具体的手段との対応関係を示すものである。
【発明を実施するための最良の形態】
【００１３】
以下、本発明の一実施形態について図１〜図４に基づいて説明する。本実施形態の情報入力表示装置は、車両に搭載されるカーナビゲーション装置の情報入力表示装置として用いられ、例えば地名入力に用いられる。
【００１４】
図１（ａ）は本実施形態の情報入力表示装置を示す平面図で、図１（ｂ）は図１（ａ）のＡ−Ａ断面図で、図２は本実施形態の情報入力表示装置の全体構成を示すブロック図である。図１（ａ）および図１（ｂ）に示すように、本実施形態の情報入力表示装置は、表示装置１、タッチスイッチ２、赤外線スイッチ（近接検出手段）３、制御装置（制御手段）４より構成されている。
【００１５】
本実施形態の表示装置１は、ＴＦＴＬＣＤ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ）等の表示画面１０を有し、制御装置４からの映像信号の入力に応じて、ＴＦＴＬＣＤ等の表示画面１０に当該映像を表示する。
【００１６】
タッチスイッチ２は、表示装置１の表示画面１０よりユーザ側に配設される。ユーザが表示画面１０を目視しながらタッチスイッチ２の表面における任意の箇所を指など（アイコン選択物体）で押すことにより、押された箇所の座標データを制御装置４に対して出力するものである。このタッチスイッチ２は、抵抗膜方式、光学方式、超音波方式等の各種方式のタッチスイッチが知られているが、本実施形態においては、抵抗膜式のタッチスイッチ２を用いている。
【００１７】
赤外線スイッチ３は、赤外光を発光するＬＥＤ（以下「赤外光ＬＥＤ」と記す）３０と、赤外光を検出するフォトトランジスタ（受光素子）３１から構成されている。赤外線スイッチ３は、タッチスイッチ２よりユーザ側で、タッチスイッチ２の外周に沿うように複数個配置されている。赤外光ＬＥＤ３０はタッチスイッチ２の外周のうち直交する２辺に配置され、フォトトランジスタ３１は赤外光ＬＥＤ３０と対向する２辺に配置されている。複数の赤外光ＬＥＤ３０から発光された赤外光はタッチスイッチ２上で格子状になっており、指などの接近を検出するとともにその座標を検出することができる。赤外線スイッチ３は、非接触式の近接検出手段であり、赤外光ＬＥＤ３０から発光された赤外光の遮断や反射をフォトトランジスタ３１で検出すると、検出信号を制御装置４に出力する。
【００１８】
制御装置４は、ナビゲーションＥＣＵ６と接続されている。制御装置４は、通常のマイクロコンピュータとして構成されており、内部には周知のＣＰＵ、ＲＯＭ、ＲＡＭ、Ｉ／Ｏ、及びこれらを接続するバスラインが備えられている。制御装置４は、表示装置１の画面表示制御を行うように構成されており、本発明の拡大表示手段に相当している。また、制御装置４は、タッチスイッチ２および赤外線スイッチ３の検出結果に基づいて所定の処理を行う。制御装置４では、ユーザによる後述する選択アイコン５０ａの選択操作に基づいて、選択アイコン５０ａに関連づけられた処理を行う。
【００１９】
図３は、本実施形態の表示画面１０を示す平面図である。図３（ａ）は通常画面、図３（ｂ）は一部の選択アイコンが拡大表示された拡大表示画面を示している。図３に示すように、本実施形態の表示画面１０には、記号入力部５０、入力文字列表示部５１、確定アイコン５２、検索アイコン５３、修正アイコン５４、５５、中止アイコン５６が表示されている。
【００２０】
記号入力部５０は、通常の５０音表の様式で並べられた入力候補文字としての複数の文字アイコン５０ａから成る。これら文字アイコン５０ａは選択アイコンであり、ユーザの操作によってそれらのうちの１つが選択されることで、その選択された文字アイコン５０ａの示す文字が入力文字列表示部５１に追加される。例えば、ユーザが「あ」の選択アイコン５０ａを選択した場合は、入力文字列表示部５１に「あ」の文字を表示させる。
【００２１】
確定アイコン５２は、記号入力部５０の周辺（図３（ａ）（ｂ）において右下）に配置され、ユーザがこのアイコンを押すことにより、地名の入力が完了し、このとき入力文字列表示部５１に表示されている文字列が目的地の名称となる。そして、検索アイコン５３を押すことにより、制御装置４はナビゲーションＥＣＵ６に入力された文字列を出力する。
【００２２】
修正アイコン５４、５５は、記号入力部５０の周辺（図３（ａ）（ｂ）において左下）に配置され、入力文字列表示部５１に表示される文字列のうち、ユーザが修正したい文字を選択することにより、ユーザが選択した文字が入力文字列表示部５１における表示から削除される。
【００２３】
中止アイコン５６は、記号入力部５０の周辺（図３（ａ）（ｂ）において右上）に配置され、ユーザがこのアイコンを押すことにより、文字入力は強制的に終了し、この文字入力のための５０音入力画面を表示する前の画面の再表示を行う。
【００２４】
次に、図３を参照しながら、本実施形態における情報入力表示装置の拡大表示の表示例を説明する。ユーザが選択アイコン５０ａに指を近づけると、制御装置４は、赤外線スイッチ３によりアイコン選択物体の接近を検出し、表示画面１０の画面表示を、検出されたアイコン選択物体の位置近傍の選択アイコン５０ａを拡大表示する拡大表示画面に切り換える。拡大表示画面で拡大する範囲は任意に設定できるが、図３（ｂ）に示す例では、指を近づけた選択アイコン「て」を中心として１つ隣の選択アイコン５０ａまで拡大表示している。
【００２５】
そして、選択アイコン５０ａが拡大表示された状態で、指をタッチスイッチ２に対して平行に移動させると、選択アイコン５０ａが拡大表示される領域も指とともに移動する。ユーザは、拡大表示画面において、希望する選択アイコン５０ａの位置まで指をずらし、選択アイコン５０ａを選択することができる。また、選択アイコン５０ａから指を遠ざけると、拡大表示画面から通常画面に戻る。
【００２６】
次に、図４を参照しながら、本実施形態における情報入力表示装置の処理動作について説明する。図４は、本実施形態における情報入力表示装置の制御装置４のＣＰＵがＲＯＭに格納されたプログラムに従って行う処理内容を示すフローチャートである。
【００２７】
まず、赤外線スイッチ３によって、手や指などのアイコン選択物体のタッチスイッチ２への接近が検出されたか否かを判定する（Ｓ１００）。この結果、アイコン選択物体のタッチスイッチ２への接近が検出されなかった場合は（Ｓ１００：ＮＯ）、通常画面を表示し（Ｓ１１０）、ステップＳ１００に戻る。一方、アイコン選択物体の表示画面１０への接近が検出された場合は（Ｓ１００：ＹＥＳ）、ステップＳ１００において接近が検出されたアイコン選択物体の座標を計算する（Ｓ１２０）。
【００２８】
次に、ステップＳ１２０において計算された座標近傍の選択アイコン５０ａを拡大して表示する拡大表示画面に切り換える（Ｓ１３０）。
【００２９】
次に、タッチスイッチ２が押下されたか否かを判定する（Ｓ１４０）。この結果、タッチスイッチ２が押下されなかった場合は（Ｓ１４０：ＮＯ）、ステップＳ１００に戻る。一方、タッチスイッチ２が押下された場合は（Ｓ１４０：ＹＥＳ）、タッチスイッチ２が押下された位置に基づいて、その位置に対応する選択アイコン５０ａに関連づけられた処理を行う（Ｓ１５０）。
【００３０】
以上のように、ユーザが選択したい選択アイコン５０ａの近傍にアイコン選択物体を近づけるだけで、その付近の領域が拡大表示されるため、希望する選択アイコン５０ａを容易に選択操作することできる。これにより、選択アイコン５０ａが小さく表示されている場合であっても、選択アイコン５０ａの誤選択を防止することが可能となる。さらに、選択アイコン５０ａが拡大表示されているときにアイコン選択物体を移動させると、表示画面１０に拡大表示される領域も移動するため、選択操作をより容易にすることが可能となる。また、アイコン選択物体の接近を検出して自動的に拡大表示画面になり、アイコン選択物体が遠ざかると通常画面に戻るため、画面切り換え操作が不要となり、選択操作を容易にすることが可能となる。
【００３１】
（他の実施形態）
なお、上記実施形態では、受光素子としてフォトトランジスタ３１を用いているが、フォトトランジスタ３１の代わりにフォトダイオード等の他の受光素子を用いてもよい。
【００３２】
また、上記実施形態の情報入力表示装置は、カーナビゲーション装置の情報入力表示装置として説明したが、本発明の情報入力表示装置はカーナビゲーション装置以外にも用いることができる。
【図面の簡単な説明】
【００３３】
【図１】（ａ）は実施形態の情報入力表示装置を示す平面図、（ｂ）は（ａ）のＡ−Ａ断面図である。
【図２】本発明の実施形態の情報入力表示装置の全体構成を示すブロック図である。
【図３】本発明の実施形態の表示画面１０を示す平面図である。
【図４】本発明の実施形態における情報入力表示装置の制御装置４のＣＰＵが行う処理内容を示すフローチャートである。
【符号の説明】
【００３４】
１…表示装置、２…タッチスイッチ、３…赤外線スイッチ（近接検出手段）、４…制御装置（制御手段）、１０…表示画面、３０…赤外光ＬＥＤ、３１…フォトトランジスタ（受光素子）。
【図１】
2006031499.tif 000003
【図２】
2006031499.tif 000004
【図３】
2006031499.tif 000005
【図４】
2006031499.tif 000006